(57)【要約】【課題】本発明は、羽根部の支持部への取付けにおいて、締結箇所を１箇所とすることで取付け作業時間を短縮することができることを目的とするものである。【解決手段】そして、この目的を達成するために本発明は、羽根部９の根元部１０には、羽根部９の回転方向における上流側と下流側に２つの第１の羽根側連結部１２ａ、１２ｂを有し、これら第１の羽根側連結部１２ａ、１２ｂの間には、第２の羽根側連結部１４を備え、支持部８の第１の羽根側連結部１２ａ、１２ｂに相対する位置には、２つの第１の支持側連結部１３ａ、１３ｂを有し、支持部８の第２の羽根側連結部１４に相対する位置には、第２の支持側連結部１５を備え、第１の羽根側連結部１２ａ、１２ｂと第１の支持側連結部１３ａ、１３ｂとは嵌合すると共に、第２の羽根側連結部１４と第２の支持側連結部１５とは締結手段１７によって固定されることを特徴とするものでる。【選択図】図３
2013194722.tif 000002
【特許請求の範囲】
【請求項１】
天井に係合可能な連結部と、この連結部の下部に備えたモータ部と、このモータ部の周縁に回転自在に設けた支持部と、この支持部に着脱可能に設けた複数の金属製の羽根部とから構成し、この羽根部は、前記支持部に固定される根元部と、前記支持部が回転することにより空気を送風する翼部で構成され、前記羽根部の前記根元部には、前記羽根部の回転方向における上流側と下流側に２つの第１の羽根側連結部を有し、これら第１の羽根側連結部の間には、第２の羽根側連結部を備え、前記支持部の前記第１の羽根側連結部に相対する位置には、２つの第１の支持側連結部を有し、前記支持部の前記第２の羽根側連結部に相対する位置には、第２の支持側連結部を備え、前記第１の羽根側連結部と前記第１の支持側連結部とは嵌合すると共に、前記第２の羽根側連結部と前記第２の支持側連結部とは締結手段によって固定されることを特徴とする天井扇風機。
【請求項２】
前記第１の羽根側連結部は、開口した孔部であり、前記第１の支持側連結部は、前記支持部から前記羽根部方向へ伸びた突起部であり、前記第２の羽根側連結部は、開口した孔部であり、前記第２の支持側連結部は、前記支持部が窪んだねじ穴であり、前記締結手段は、ねじであることを特徴とする請求項１に記載の天井扇風機。
【請求項３】
前記第１の羽根側連結部は、前記羽根部から前記支持部方向へ伸びた突起部であり、前記第１の支持側連結部は、開口した穴部であり、前記第２の羽根側連結部は、開口した孔部であり、前記第２の支持側連結部は、前記支持部が窪んだねじ穴であり、前記締結手段は、ねじであることを特徴とする請求項１に記載の天井扇風機。
【請求項４】
一方側の前記第１の羽根側連結部および前記第１の支持側連結部と、前記第２の羽根側連結部および前記第２の支持側連結部との距離は、他方側の前記第１の羽根側連結部および前記第１の支持側連結部と、前記第２の羽根側連結部および前記第２の支持側連結部との距離と異なることを特徴とする請求項１から３に記載の天井扇風機。
【発明の詳細な説明】
【技術分野】
【０００１】
本発明は、天井から吊下げられた天井扇風機に関する。
【背景技術】
【０００２】
従来、この種の天井扇風機の構成は、以下のようになっていた。
【０００３】
すなわち、天井に係合可能な連結部と、この連結部の下部に備えたモータ部と、このモータ部の周縁に回転自在に設けた支持部と、この支持部に着脱可能に設けた複数の金属製の羽根部とから構成し、この羽根部は、前記支持部に固定される根元部と、前記支持部が回転することにより空気を送風する翼部を備えた構成となっていた。
【０００４】
例えば、これに類似する先行文献は下記特許文献１に記載されている。
【先行技術文献】
【特許文献】
【０００５】
【特許文献１】特開２００９−１２１２４３号公報
【発明の概要】
【発明が解決しようとする課題】
【０００６】
上記従来例における課題は、羽根部を支持部へ固定する作業の時間を短縮させることであった。
【０００７】
すなわち、羽根部の根元部を支持部へ固定する際に、羽根部の取付け位置の精度と取付け強度の観点から羽根部の根元部と支持部を２箇所以上で締結固定し、羽根部は複数枚有するので、その取付け作業に時間がかかっていた。
【０００８】
そこで、本発明は、羽根部の支持部への固定において、羽根部の取付け位置の精度と取付け強度を確保したままで締結箇所を１箇所とすることで取付け作業時間を短縮することができることを目的とするものである。
【課題を解決するための手段】
【０００９】
そして、この目的を達成するために本発明は、天井に係合可能な連結部と、この連結部の下部に備えたモータ部と、このモータ部の周縁に回転自在に設けた支持部と、この支持部に着脱可能に設けた複数の金属製の羽根部とから構成し、この羽根部は、前記支持部に固定される根元部と、前記支持部が回転することにより空気を送風する翼部で構成され、前記羽根部の前記根元部には、前記羽根部の回転方向における上流側と下流側に２つの第１の羽根側連結部を有し、これら第１の羽根側連結部の間には、第２の羽根側連結部を備え、前記支持部の前記第１の羽根側連結部に相対する位置には、２つの前記第１の支持側連結部を有し、前記支持部の前記第２の羽根側連結部に相対する位置には、前記第２の支持側連結部を備え、前記第１の羽根側連結部と前記第１の支持側連結部とは嵌合すると共に、前記第２の羽根側連結部と前記第２の支持側連結部とは締結手段によって固定されることを特徴としたものであり、これにより所期の目的を達成するものである。
【発明の効果】
【００１０】
本発明によれば、天井に係合可能な連結部と、この連結部の下部に備えたモータ部と、このモータ部の周縁に回転自在に設けた支持部と、この支持部に着脱可能に設けた複数の金属製の羽根部とから構成し、この羽根部は、前記支持部に固定される根元部と、前記支持部が回転することにより空気を送風する翼部で構成され、前記羽根部の前記根元部には、前記羽根部の回転方向における上流側と下流側に２つの第１の羽根側連結部を有し、これら第１の羽根側連結部の間には、第２の羽根側連結部を備え、前記支持部の前記第１の羽根側連結部に相対する位置には、２つの前記第１の支持側連結部を有し、前記支持部の前記第２の羽根側連結部に相対する位置には、前記第２の支持側連結部を備え、前記第１の羽根側連結部と前記第１の支持側連結部とは嵌合すると共に、前記第２の羽根側連結部と前記第２の支持側連結部とは締結手段によって固定されることを特徴とするものであり、羽根部を支持部へ固定する作業時間を短縮することができるものである。
【００１１】
すなわち、羽根部を支持部へ固定する際に、羽根部の根元部に設けられた２つの第１の羽根側連結部と、相対する位置に設けられた２つの第１の支持側連結部とが嵌合することにより、羽部部を支持部へ取付ける位置の精度と取付け強度が向上するため、羽根部と支持部の締結手段による固定を、羽根部の根元部のこれら第１の羽根側連結部の間に設けられた第２の羽根側連結部と、相対する位置に設けられた第２の支持側連結部との１箇所とすることができる。
【００１２】
結果として、羽根部の支持部への固定において、羽根部の取付け位置の精度と取付け強度を確保したままで締結箇所を１箇所とすることができ、取付け作業時間を短縮することができるものである。
【図面の簡単な説明】
【００１３】
【図１】本発明の実施の形態１の天井扇風機の概要を示す図
【図２】同、羽根部の支持部への取付状態を示す図
【図３】同、羽根部と支持部の概要を示す図
【図４】本発明の実施の形態２の天井扇風機の羽根部の支持部への取付状態を示す図
【図５】同、羽根部と支持部の概要を示す図
【図６】本発明の実施の形態３の天井扇風機の羽根部の支持部への取付状態を示す図
【図７】同、羽根部と支持部の概要を示す図
【発明を実施するための形態】
【００１４】
本発明の請求項１記載の天井扇風機は、天井に係合可能な連結部と、この連結部の下部に備えたモータ部と、このモータ部の周縁に回転自在に設けた支持部と、この支持部に着脱可能に設けた複数の金属製の羽根部とから構成し、この羽根部は、前記支持部に固定される根元部と、前記支持部が回転することにより空気を送風する翼部で構成され、前記羽根部の前記根元部には、前記羽根部の回転方向における上流側と下流側に２つの第１の羽根側連結部を有し、これら第１の羽根側連結部の間には、第２の羽根側連結部を備え、前記支持部の前記第１の羽根側連結部に相対する位置には、２つの前記第１の支持側連結部を有し、前記支持部の前記第２の羽根側連結部に相対する位置には、前記第２の支持側連結部を備え、前記第１の羽根側連結部と前記第１の支持側連結部とは嵌合すると共に、前記第２の羽根側連結部と前記第２の支持側連結部とは締結手段によって固定した構成を有する。
【００１５】
これにより、羽根部の根元部に設けられた２つの第１の羽根側連結部と、相対する位置に設けられた２つの第１の支持側連結部とが嵌合する。これにより、羽部部を支持部へ取付ける位置の精度と取付け強度が向上するため、羽根部と支持部の締結手段による固定を、羽根部の根元部のこれら第１の羽根側連結部の間に設けられた第２の羽根側連結部と、相対する位置に設けられた第２の支持側連結部との１箇所とすることができるので、取付け作業時間を短縮できるという効果を奏する。
【００１６】
また、前記第１の羽根側連結部は、開口した孔部であり、前記第１の支持側連結部は、前記支持部から前記羽根部方向へ伸びた突起部であり、前記第２の羽根側連結部は、開口した孔部であり、前記第２の支持側連結部は、前記支持部が窪んだねじ穴であり、前記締結手段は、ねじであるという構成にしてもよい。
【００１７】
これにより、羽根部の根元部に設けられた２つの第１の羽根側連結部である開口した孔部と、相対する位置に設けられた２つの第１の支持側連結部である突起部とが嵌合する。これにより、羽部部を支持部へ取付ける位置の精度と取付け強度が向上するため、羽根部と支持部の締結手段による固定を、羽根部の根元部のこれら第１の羽根側連結部である開口した孔部の間に設けられた第２の羽根側連結部である開口した孔部と、相対する位置に設けられた第２の支持側連結部である窪んだねじ穴とをねじによる締結を１箇所とすることができるので、取付け作業時間を短縮できるという効果を奏する。
【００１８】
また、前記第１の羽根側連結部は、前記羽根部から前記支持部方向へ伸びた突起部であり、前記第１の支持側連結部は、開口した穴部であり、前記第２の羽根側連結部は、開口した孔部であり、前記第２の支持側連結部は、前記支持部が窪んだねじ穴であり、前記締結手段は、ねじであるという構成にしてもよい。
【００１９】
これにより、羽根部の根元部に設けられた２つの第１の羽根側連結部である突起部と、相対する位置に設けられた２つの第１の支持側連結部である開口した孔部とが嵌合する。これにより、羽部部を支持部へ取付ける位置の精度と取付け強度が向上するため、羽根部と支持部の締結手段による固定を、羽根部の根元部のこれら第１の羽根側連結部である開口した孔部の間に設けられた第２の羽根側連結部である開口した孔部と、相対する位置に設けられた第２の支持側連結部である窪んだねじ穴とをねじによる締結を１箇所とすることができるので、取付け作業時間を短縮できるという効果を奏する。
【００２０】
また、一方側の前記第１の羽根側連結部および前記第１の支持側連結部と前記第２の羽根側連結部および前記第２の支持側連結部との距離は、他方側の前記第１の羽根側連結部および前記第１の支持側連結部と前記第２の羽根側連結部および前記第２の支持側連結部との距離と異なる構成にしてもよい。
【００２１】
これにより、羽根部を支持部へ天地逆に取付けようとした場合、羽根側連結部と支持側連結部の位置が異なるため、取付けることができないので、羽根部の天地逆取付けと言う誤取付けを防ぐことができるという効果を奏する。
【００２２】
以下、本発明の実施の形態について図面を参照しながら説明する。
【００２３】
（実施の形態１）
図１は、本発明の実施の形態の天井扇風機の概要を示す図である。図２は、本発明の実施の形態の天井扇風機の羽根部の支持部への取付状態を示す図である。図３は、本発明の実施の形態の天井扇風機の羽根部と支持部の概要を示す図である。
【００２４】
図１から図３に示すように、天井扇風機は天井１に固定される吊下部２と、吊下部２を介して係合可能な天井扇風機本体３とから構成されている。天井扇風機本体３は連結部４と、モータ部７と、羽根部９と、本体カバー部１６とを備えている。
【００２５】
天井扇風機本体３は上部に、吊下部２に吊下げ可能な連結部４を備えている。連結部４は、吊下部２に直接引っ掛けられるジョイント部５と、このジョイント部５の下部に係合された円筒形状のパイプ部６とから構成されている。
【００２６】
パイプ部６の下部にはモータ部７が固定されている。モータ部７の周縁部には支持部８が設けられており、この支持部８に着脱可能な複数の金属製の羽根部９が固定される。この羽根部９は、モータ部７から外方水平方向に延びるように固定される。
【００２７】
本実施形態における特徴は、羽根部９の支持部８への取付け構造にある。羽根部９は、支持部８に固定される根元部１０と、回転することにより空気を送風する翼部１１で構成されている。羽根部９の根元部１０には、羽根部９の回転方向における上流側と下流側に２つの第１の羽根側連結部１２ａ、１２ｂを有している。これら第１の羽根側連結部１２ａ、１２ｂの間には、第２の羽根側連結部１４を備えている。支持部８の第１の羽根側連結部１２ａ、１２ｂに相対する位置には、２つの第１の支持側連結部１３ａ、１３ｂを有し、支持部８の第２の羽根側連結部１４に相対する位置には、第２の支持側連結部１５を備えている。第１の羽根側連結部１２ａ、１２ｂと第１の支持側連結部１３ａ、１３ｂとは嵌合すると共に、第２の羽根側連結部１４と第２の支持側連結部１５とは締結手段１７によって固定される。
【００２８】
具体的には、羽根部９の根元部１０には、２つの第１の羽根側連結部１２ａ、１２ｂである開口した孔部があり、支持部８には相対する位置に２つの第１の支持側連結部１３ａ、１３ｂである突起部がある。更には、羽根部９の根元部１０のこれら第１の羽根側連結部１２ａ、１２ｂである開口した孔部の間には、第２の羽根側連結部１４である開口した孔部が設けられ、支持部８には相対する位置に第２の支持側連結部１５である窪んだねじ穴が設けられている。ここで、羽根部９は、この第２の羽根側連結部１４の孔部を介し、第２の支持側連結部１５のねじ穴へ挿入された締結手段１７であるねじによって、支持部８に締結固定されるものである。
【００２９】
一例として、第１の羽根側連結部１２ａ、１２ｂである孔部の形状は円形状であり、第１の支持側連結部１３ａ、１３ｂである突起部の形状は断面が円形状であり、第２の羽根側連結部１４である孔部の形状は円形状である。
【００３０】
すなわち、羽根部９の根元部１０に設けられた２つの第１の羽根側連結部１２ａ、１２ｂである開口した孔部と、相対する位置に設けられた２つの第１の支持側連結部１３ａ、１３ｂである突起部とが嵌合することにより、羽根部９を支持部８へ取付ける位置の精度と取付け強度が向上するものとなる。
【００３１】
ここで、羽根部９と支持部８の締結手段１７による固定を、羽根部９の根元部１０のこれら第１の羽根側連結部１２ａ、１２ｂである開口した孔部の間に設けられた第２の羽根側連結部１４である開口した孔部と、相対する位置に設けられた第２の支持側連結部１５である窪んだねじ穴とをねじによる締結を１箇所とすることができるので、取付け作業時間を短縮することができるものである。
【００３２】
第１の羽根側連結部１２ａ、１２ｂである孔部および第１の支持側連結部１３ａ、１３ｂである突起部と羽根部９の回転の中心との距離は、第２の羽根側連結部１４である孔部および第２の支持側連結部１５であるねじ穴と羽根部９の回転の中心との距離より長いものである。これにより、羽根部９の自重によって、第１の羽根側連結部１２ａ、１２ｂである孔部と、第１の支持側連結部１３ａ、１３ｂである突起部との嵌合固定が、更に強化されるものである。
【００３３】
（実施の形態２）
図４は、本発明の実施の形態の天井扇風機の羽根部の支持部への取付状態を示す図である。図５は、本発明の実施の形態の天井扇風機の羽根部と支持部の概要を示す図である。
【００３４】
実施の形態１と同様の構成要素については同一の符号を付し、その詳細な説明は省略する。
【００３５】
実施の形態１と相違する点は、羽根部の支持部への取付け構造にある。
【００３６】
図４から図５に示すように具体的には、羽根部９の根元部１０には２つの第１の羽根側連結部１８ａ、１８ｂである突起部があり、支持部８には相対する位置に２つの第１の支持側連結部１９ａ、１９ｂである開口した孔部があり、更には羽根部９の根元部１０のこれら第１の羽根側連結部１８ａ、１８ｂである突起部の間には第２の羽根側連結部１４である開口した孔部が設けられており、支持部８には相対する位置に第２の支持側連結部１５である窪んだねじ穴が設けられており、締結手段１７であるねじにより締結固定するものである。
【００３７】
一例として、第１の羽根側連結部１８ａ、１８ｂである突起部の形状は断面が円形状であり、第１の支持側連結部１９ａ、１９ｂである孔部の形状は円形状であり、第２の羽根側連結部１４である孔部の形状は円形状である。
【００３８】
すなわち、羽根部９の根元部１０に設けられた２つの第１の羽根側連結部１８ａ、１８ｂである突起部と、相対する位置に設けられた２つの第１の支持側連結部１９ａ、１９ｂである開口した孔部とが嵌合することにより、羽根部９を支持部８へ取付ける位置の精度と取付け強度が向上するものとなる。
【００３９】
ここで、羽根部９と支持部８の締結手段１７による固定を、羽根部９の根元部１０のこれら第１の羽根側連結部１８ａ、１８ｂである突起部の間に設けられた第２の羽根側連結部１４である開口した孔部と、相対する位置に設けられた第２の支持側連結部１５である窪んだねじ穴とをねじによる締結を１箇所とすることができるので、取付け作業時間を短縮することができるものである。
【００４０】
また、羽根部９の開口は、第２の羽根側連結部１４である孔部のみとなるので、羽根部９の根元部１０の強度が向上する。
【００４１】
第１の羽根側連結部１８ａ、１８ｂである孔部および第１の支持側連結部１９ａ、１９ｂである突起部と羽根部９の回転の中心との距離は、第２の羽根側連結部１４である孔部および第２の支持側連結部１５であるねじ穴と羽根部９の回転の中心との距離より長いものである。これにより、羽根部９の自重によって、第１の羽根側連結部１８ａ、１８ｂである孔部と、第１の支持側連結部１９ａ、１９ｂである突起部との嵌合固定が、更に強化されるものである。
【００４２】
（実施の形態３）
図６は、本発明の実施の形態の天井扇風機の羽根部の支持部への取付状態を示す図である。図７は、本発明の実施の形態の天井扇風機の羽根部と支持部の概要を示す図である。
【００４３】
実施の形態１と同様の構成要素については同一の符号を付し、その詳細な説明は省略する。
【００４４】
実施の形態１と相違する点は、羽根部の支持部への取付け構造にある。
【００４５】
図６から図７に示すように具体的には、一方側の第１の羽根側連結部１２ａおよび第１の支持側連結部１３ａと第２の羽根側連結部１４および第２の支持側連結部１５との距離Ａは、他方側の第１の羽根側連結部１２ｂおよび第１の支持側連結部１３ｂと第２の羽根側連結部１４および第２の支持側連結部１５との距離Ｂが異なる構成とするものである。
【００４６】
すなわち、羽根部９を支持部８へ天地逆に取付けようとした場合、第１の羽根側連結部１２ａ、１２ｂと第１の支持側連結部１３ａ、１３ｂの位置が異なり嵌合できないこととなる。
【００４７】
ここで、羽根部９と支持部８の間に隙間ができて取付けることができないので、羽根部９の天地逆取付けと言う誤取付けを防ぐことができるものである。
【産業上の利用可能性】
【００４８】
本発明によれば、天井に係合可能な連結部と、この連結部の下部に備えたモータ部と、このモータ部の周縁に回転自在に設けた支持部と、この支持部に着脱可能に設けた複数の金属製の羽根部とから構成し、この羽根部は、前記支持部に固定される根元部と、前記支持部が回転することにより空気を送風する翼部で構成され、前記羽根部の前記根元部には、前記羽根部の回転方向における上流側と下流側に２つの第１の羽根側連結部を有し、これら第１の羽根側連結部の間には、第２の羽根側連結部を備え、前記支持部の前記第１の羽根側連結部に相対する位置には、２つの前記第１の支持側連結部を有し、前記支持部の前記第２の羽根側連結部に相対する位置には、前記第２の支持側連結部を備え、前記第１の羽根側連結部と前記第１の支持側連結部とは嵌合すると共に、前記第２の羽根側連結部と前記第２の支持側連結部とは締結手段によって固定されることを特徴とするものであり、羽根部を支持部へ固定する作業時間を短縮することができるものである。
【００４９】
すなわち、羽根部を支持部へ固定する際に、羽根部の根元部に設けられた２つの第１の羽根側連結部と、相対する位置に設けられた２つの第１の支持側連結部とが嵌合することにより、羽部部を支持部へ取付ける位置の精度と取付け強度が向上するため、羽根部と支持部の締結手段による固定を、羽根部の根元部のこれら第１の羽根側連結部の間に設けられた第２の羽根側連結部と、相対する位置に設けられた第２の支持側連結部との１箇所とすることができる。
【００５０】
結果として、羽根部の支持部への固定において、羽根部の取付け位置の精度と取付け強度を確保したままで締結箇所を１箇所とすることができ、取付け作業時間を短縮することができるものである。
【００５１】
従って、家庭用や事務用などの、天井扇風機としての活用が期待されるものである。
【符号の説明】
【００５２】
１      天井
２      吊下部
３      天井扇風機本体
４      連結部
５      ジョイント部
６      パイプ部
７      モータ部
８      支持部
９      羽根部
１０    根元部
１１    翼部
１２ａ  第１の羽根側連結部
１２ｂ  第１の羽根側連結部
１３ａ  第１の支持側連結部
１３ｂ  第１の支持側連結部
１４    第２の羽根側連結部
１５    第２の支持側連結部
１６    本体カバー部
１７    締結手段
１８ａ  第１の羽根側連結部
１８ｂ  第１の羽根側連結部
１９ａ  第１の支持側連結部
１９ｂ  第１の支持側連結部
【図１】
2013194722.tif 000003
【図２】
2013194722.tif 000004
【図３】
2013194722.tif 000005
【図４】
2013194722.tif 000006
【図５】
2013194722.tif 000007
【図６】
2013194722.tif 000008
【図７】
2013194722.tif 000009